(57)【要約】【課題】蓋板部のロック構造部を備える包装箱において、ロック作業時に蓋板部への干渉を効果的に防止できる構造を提供する。【解決手段】包装箱本体部１３における前周壁部の上端に折曲線３０を介して連設された舌状の差し込み片１７と、差し込み片１７を差し込み可能にして蓋板部１５に設けられ、差し込まれて来る差し込み片１７を蓋板部１５の裏面から離れる方向にガイドするスリット状の差し込み片ロック穴１８と、を有したロック構造部１６を設けた。【選択図】図１
0003208778.tif 000002
【実用新案登録請求の範囲】
【請求項１】
包装箱本体部の開口を開閉可能に閉じる蓋板部を閉状態でロックするロック構造部を備える包装箱において、
前記包装箱本体部における周壁部の上端に折曲線を介して連設された舌状の差し込み片と、
前記差し込み片を差し込み可能にして前記蓋板部に設けられ、差し込まれて来る前記差し込み片を前記蓋板部の裏面から離れる方向にガイドするスリット状の差し込み片ロック穴と、
を有したロック構造部を備える、ことを特徴とする包装箱。
【請求項２】
前記差し込み片ロック穴は、前記差し込み片ロック穴の一部を拡幅させて拡幅側に傾斜するガイド辺部を設けて末広がりに広がる台形に形成されている、ことを特徴とする請求項１に記載の包装箱。
【請求項３】
前記蓋板部の裏面に、活字や絵柄が印刷されたシートが貼り付けられている、ことを特徴とする請求項１又は２に記載の包装箱。
【考案の詳細な説明】
【技術分野】
【０００１】
本考案は包装箱に関するものであり、特に、各種の製品を包装収納する包装箱の蓋となる天面パネル等の蓋板部を、閉状態でロックするロック構造部を備える包装箱に関するものである。
【背景技術】
【０００２】
従来、各種の製品を包装状態に収納する包装箱においては、包装箱本体に対し蓋を閉状態でロックするためのロック構造部を備えたものが広く普及している（例えば、特許文献１参照）。
【０００３】
特許文献１記載の包装箱は、段ボール紙を折り曲げて、製品が収納される包装箱本体部と包装箱本体部の開口を覆う蓋板部を一体に組み立て、包装箱本体部に対し、一側縁のヒンジ部を支点として蓋板部が開閉されるように構成されている。また、ヒンジ部と対向する側の中央部分にダブルロック式のロック構造部が設けられており、このロック構造部によって、包装箱本体部に対し蓋板部が確実にロックされる構造になっている。
【０００４】
また、特許文献１記載の包装箱におけるロック構造部は、包装箱本体部における前面周壁部の上端に舌状の差し込み片が設けられているとともに、蓋板部側にスリット状の差し込み片ロック穴が設けられている。そして、蓋板部を閉めた時には、差し込み片を、差し込み片ロック穴に差し込んで嵌合させ、包装箱本体に対し蓋板部を確実にロックしてその状態を保持する構造になっている。また、差し込み片は、蓋板部の裏面に沿わせて差し込むようになっている。
【０００５】
また、近年、販売促進や高級感、あるいは使用説明の機能等を持たせるために、蓋板部を開けると、蓋板部の裏面にＰＯＰ（Point  of  Purchase）デザインが見えるようにした包装箱も広く普及している（特許文献なし）。その蓋板部の裏面にＰＯＰデザインを付加する方法も、蓋板部の裏面に直に印刷を実施するか、ＰＯＰデザインをラベルに印刷し、そのラベルを蓋板部の裏面に貼り付けるのが一般的である。
【先行技術文献】
【特許文献】
【０００６】
【特許文献１】特開２００１−２７８２５１号公報
【考案の概要】
【考案が解決しようとする課題】
【０００７】
しかしながら、蓋板部の裏面にＰＯＰデザインを直に印刷する方法では、包装箱の周壁部の内側と外側にそれぞれ印刷を施すのに、印刷機を２回通す必要がある。そのため、コストアップになっている問題点があった。
【０００８】
これに対して、ＰＯＰデザインをラベルに印刷し、そのＰＯＰデザインを印刷したラベル（以下、これを「ＰＯＰラベル」という）を蓋板部の裏面に貼り付ける方法では、ＰＯＰラベルは手貼り対応となる。そのため、ＰＯＰラベルを蓋板部の裏面に貼り付ける方法では、生産数量の大きいロットには不向きであるという問題点があった。
【０００９】
さらに、ＰＯＰラベルを蓋板部の裏面に貼り付ける方法では、差し込み片ロック穴に差し込まれる差し込み片が、蓋板部の裏面に沿わせる形で差し込まれる場合では、差し込み片が差し込まれる範囲内にＰＯＰラベルが貼り付けられていると、そのＰＯＰラベルが蓋板部の裏面に段差を作る。そのため、差し込み時に差し込み片の先端部が段差とぶつかり、差し込み片をスムーズに差し込むことができないという問題点があった。また、ＰＯＰラベルの表面にキズ等を付けるという問題点があった。
【００１０】
したがって、差し込み片とＰＯＰラベルの干渉を回避するのに、ＰＯＰラベルの大きさを小さくする必要が生じる。しかしながら、ＰＯＰラベルの大きさを小さくすると歪な形となる問題点があった。また、ＰＯＰラベルを蓋板部の裏面全体に貼り付けて使用できない等、各種の規制を受ける問題点があった。
【００１１】
そこで、本考案は上記問題点に鑑みなされたものであり、蓋板部のロック構造部を備える包装箱において、ロック作業時に蓋板部への干渉を効果的に防止できる構造を備える包装箱を提供することを目的としている。
【課題を解決するための手段】
【００１２】
（１）本考案は上記目的を達成するために提案されたものであり、包装箱本体部の開口を開閉可能に閉じる蓋板部を閉状態でロックするロック構造部を備える包装箱において、前記包装箱本体部における周壁部の上端に折曲線を介して連設された舌状の差し込み片と、前記差し込み片を差し込み可能にして前記蓋板部に設けられ、差し込まれて来る前記差し込み片を前記蓋板部の裏面から離れる方向にガイドするスリット状の差し込み片ロック穴と、を有したロック構造部を備える、ことを特徴とする。
【００１３】
（２）（１）の構成において、前記差し込み片ロック穴は、前記差し込み片ロック穴の一部を拡幅させて拡幅側に傾斜するガイド辺部を設けて末広がりに広がる台形に形成されている、ことを特徴とする。
【００１４】
（３）（１）又は（２）の構成において、前記蓋板部の裏面に、活字や絵柄が印刷されたシートが貼り付けられている、ことを特徴とする。
【考案の効果】
【００１５】
本考案によれば、蓋板部のロック構造部を備える包装箱において、ロック構造部の差し込み片が差し込み片ロック穴に差し込まれて来ると、差し込み片ロック穴は差し込み片が差し込まれて行く方向を蓋板部の裏面から離れる方向にガイドするため、差し込み片は蓋板部の裏面と干渉することなく差し込まれる。
【００１６】
これにより、蓋板部をロックする作業をスムーズに行うことができて作業効率がよくなり、また蓋板部の裏面に損傷を与えるおそれもなくなる。
【００１７】
さらに、蓋板部の裏面にＰＯＰラベルが貼り付けてあっても、ＰＯＰラベルに差し込み片が干渉することなく差し込むことができるので、ＰＯＰラベルが貼り付けられていても、包装箱を自動機で組み立てることも可能になり、生産数量の大きいロットにも対応ができ、コスト低減に寄与する。また、蓋板部の裏面にＰＯＰラベルを貼り付ける場合も、貼り付けに規制を受けることがなくなるので、蓋板部の裏面全体にＰＯＰラベルを貼り付けることができ、ＰＯＰ効果を最大限に利用することができる。
【図面の簡単な説明】
【００１８】
【図１】本実施形態に基づく包装箱の展開図である。
【図２】図１におけるＡ部拡大図である。
【図３】図１における要部拡大図である。
【図４】本実施形態に基づく包装箱の使用状態を示す前方向から見た斜視図である。
【図５】本実施形態に基づく包装箱を、蓋板部を閉じて閉ロックする前の状態で前方向から見た斜視図である。
【図６】図５におけるＢ部拡大図である。
【図７】本実施形態に基づく包装箱を、蓋板部を閉ロックした状態で一側面方向から見た斜視図である。
【図８】図７におけるＣ部拡大図である。
【考案を実施するための形態】
【００１９】
以下、本考案を実施するための形態(以下、「実施形態」という)を、添付図面に基づいて詳細に説明する。なお、以下の説明では、上下や左右等の方向を示す表現は、絶対的なものではなく、本考案の包装箱の各部が描かれている姿勢である場合に適切であるが、その姿勢が変化した場合には姿勢の変化に応じて変更して解釈されるべきものである。また、実施形態の説明の全体を通して同じ要素には同じ番号を付している。
【００２０】
図１から図８は本考案に係る包装箱１０を示すものであり、図１はその包装箱１０の展開図、図２は図１におけるＡ部拡大図、図３は図１における要部拡大図、図４は包装箱１０の使用状態を前方向から見た斜視図、図５は包装箱１０を、蓋板部１５を閉じて閉ロックする前の状態で前方向から見た斜視図、図６は図５におけるＢ部拡大図、図７は蓋板部１５を閉ロックした状態を一側面方向から見た斜視図、図８は図７におけるＣ部拡大図である。
【００２１】
包装箱１０は、図１及び図２に示すように、周知のボール紙又は段ボール紙を、図示しない周知の紙器打抜装置によりブランクとして打ち抜いて形成される。包装箱１０のブランクは、図４に示すように、四角形状をなす底壁部１１ａの外周縁に、一重壁構造でなる後周壁部１１ｂと二重壁構造からなる前周壁部１１ｃと側周壁部１１ｄ、１１ｅを各々立設するとともに、天面が開口１４とされて、内部に製品５０を包装状態に収納する空間１２を設けた包装箱本体部１３と、後周壁部１１ｂの上端に連設されて包装箱本体部１３の開口１４を開閉可能に閉じる蓋板部１５と、を一体に有する包装箱１０として組み立てられる。
【００２２】
蓋板部１５と前周壁部１１ｃの対向する位置には、包装箱本体部１３の開口１４を閉じた蓋板部１５を閉状態でロックするロック構造部１６が設けられている。ロック構造部１６は、包装箱本体部１３の前周壁部１１ｃ側に設けられた差し込み片１７と、蓋板部１５の折曲片部１５２側に設けられた差し込み片ロック穴１８とで構成されている。
【００２３】
包装箱１０のブランクは、図１に示すように長方形状をなす底壁部１１ａを備え、この底壁部１１ａの４辺に後周壁部１１ｂ、前周壁部１１ｃ、側周壁部１１ｄ、１１ｅが連設されている。これら底壁部１１ａと後周壁部１１ｂ、前周壁部１１ｃ、側周壁部１１ｄ、１１ｅの各境界部分には、肉厚を圧縮するように罫を入れて形成された折曲線１９が各々設けられている。
【００２４】
前周壁部１１ｃ、側周壁部１１ｄ、１１ｅは、それぞれ底壁部１１ａに連続した外壁面部１１１ｃ、１１１ｄ、１１１ｅと、外壁面部１１１ｃ、１１１ｄ、１１１ｅと連続した上壁面部１１２ｃ、１１２ｄ、１１２ｅと、上壁面部１１２ｃ、１１２ｄ、１１２ｅと連続した内壁面部１１３ｃ、１１３ｄ、１１３ｅとからなり、それぞれの境界部分には、上記と同様の折曲線２０が設けられている。また、左右で対向する側周壁部１１ｄ、１１ｅにおいて、外壁面部１１１ｄ、１１１ｅの一端には、組立状態で隣接する外壁面部１１１ｃの内面側に位置される第１補強フラップ２２が連設され、内壁面部１１３ｄ、１１３ｅの一端には、組立状態で隣接する内壁面部１１３ｃの内面側に位置される第２補強フラップ２３が連設され、それぞれの境界部分には折曲線２４が設けられている。
【００２５】
後周壁部１１ｂの両端には、それぞれ組立状態で隣接する外壁面部１１１ｄ、１１１ｅの内面側に位置される第３補強フラップ２５が連設され、各境界部分には折曲線２６が設けられている。
【００２６】
蓋板部１５は、後周壁部１１ｂの上端に連続した天面部１５１と、天面部１５１と連続した折曲片部１５２とからなる。また、後周壁部１１ｂと天面部１５１の境界部分には、上記と同様の折曲線３１が設けられ、天面部１５１と折曲片部１５２の境界部分には、上記と同様の折曲線３２が設けられている。また、天面部１５１の裏面には必要に応じて、ＰＯＰデザインを印刷したラベル、すなわちＰＯＰラベル２７が貼り付けられる。
【００２７】
ロック構造部１６における差し込み片１７は、ブランクとして打ち抜いて形成される際に、底壁部１１ａ側を連設部分として残し、他の部分に概略コ字状の切り込み２８を入れ、前周壁部１１ｃに対し切り起こし及び折り曲げ可能に設けられている。また、差し込み片１７が連設する境界部分には折曲線２９が設けられ、さらに前周壁部１１ｃに折曲線２０を設ける時に、折曲線２０と同時に形成される折曲線３０が設けられている。
【００２８】
さらに詳述すると、図１に示すように、差し込み片１７は、前周壁部１１ｃ（外壁面部１１１ｃ）の上端から底壁部１１ａ側に向かって間隔幅Ｗ１を有して作られた切り込み２８における１対の切り込み部分２８ａ、２８ａにより形成された差し込み片本体部１７ａと、差し込み片本体部１７ａの一部を減幅させて減幅側に傾斜する傾斜片部１７ｂと、傾斜片部１７ｂから略同じ幅Ｗ２で延出する差し込み先端片部１７ｃと、を一体に有してなる。そして、差し込み片１７は折曲線２９を折曲支点として、包装箱本体部１３に対し揺動可能に設けられている。また、傾斜片部１７ｂと差し込み先端片部１７ｃは共に折曲線２９を折曲支点として、差し込み片本体部１７ａに対し略直角に内側へ折り曲げ可能に設けられている。
【００２９】
ロック構造部１６における差し込み片ロック穴１８は、ブランクとして打ち抜いて形成される際に、差し込み片１７に対応してスリット状に打ち抜き形成される。差し込み片ロック穴１８は、このスリット状の差し込み片ロック穴１８における一部の左右幅を拡幅させて拡幅側に傾斜するガイド辺部１８ａを左右両側に設け、図５に示すように蓋板部１５が閉じられた状態において、スリット状をした開口の左右の幅が末広がりに広がる台形に形成されている。また、ここでの差し込みロック片穴１８は、図１及び図２を用いて説明すると、拡幅側の最大幅Ｗ３が、差し込み片１７の差し込み片本体部１７ａを形成している切り込み部分の幅Ｗ１（これは、差し込み片本体部１７ａの幅Ｗ１となる）よりも小さく、かつ、差し込み先端片部１７ｃの前記幅Ｗ２よりも大きく形成されている。
【００３０】
このように構成された包装箱１０は、例えば、次の（１）〜（１０）の順にして組み立て使用される。
【００３１】
（１）図１に示すブランク状態において、蓋板部１５を構成している天面部１５１の裏面にＰＯＰラベル２７を貼り付ける。なお、図４は、天面部１５１の裏面にＰＯＰラベル２７を貼り付けている状態を示している。このＰＯＰラベル２７の貼り付けは、手作業、機械作業のいずれであってもよい。
【００３２】
（２）また、図１に示すブランク状態において、折曲線１９の位置で蓋板部１５を、底壁部１１ａに対し内側（上方）へ略直角に折り曲げて立ち上げるとともに、折曲線２６の位置で第３補強フラップ２５を、後周壁部１１ｂに対し内側へ略直角に折り曲げる。
【００３３】
（３）次いで、側周壁部１１ｄ、１１ｅの外壁面部１１１ｄ、１１１ｅをそれぞれ折曲線１９の位置で、底壁部１１ａに対し内側へ略直角に第１補強フラップ２２、第２補強フラップ２３とともに折り曲げる。その後、折曲線２０の位置で、それぞれ上壁面部１１２ｄ、１１２ｅと内壁面部１１３ｄ、１１３ｅを順に内側へ略直角に折り曲げ、内壁面部１１３ｄ、１１３ｅを空間１２の内側に各々配置する。そして、内壁面部１１３ｄ、１１３ｅの先端に形成されている係合突起部１１４ｄ、１１４ｅを、底壁部１１ａに設けられている係合穴１１１ａに各々係合させ、この折り曲げを保持する。
【００３４】
（４）次いで、折曲線２４の位置で、第１補強フラップ２２と第２補強フラップ２３をそれぞれ内側へ直角に折り曲げる。
【００３５】
（５）次いで、それぞれ折曲線２０の位置で、外壁面部１１１ｃ、上壁面部１１２ｃ、内壁面部１１３ｃを順に内側へ直角に折り曲げ、外壁面部１１１ｃと内壁面部１１３ｃとの間に第１補強フラップ２２と第２補強フラップ２３を各々挟んだ状態にする。そして、空間１２の内側に配置された内壁面部１１３ｃは、内壁面部１１３ｃの両端に各々形成されている係合突起部１１４ｃを側周壁部１１ｄ、１１ｅの内壁面部１１３ｄ、１１３ｅの内面にそれぞれ圧接させ、係合突起部１１４ｃと内壁面部１１３ｄ、１１３ｅとの摩擦力で、この折り曲げを保持される。これにより、図４に示すように、蓋板部１５が開口１４を開状態にしてなる包装箱本体部１３側が形成される。また、包装箱本体部１３の空間１２内には、製品（本実施形態ではビン）５０が複数本整列して収容される。
【００３６】
（６）包装箱本体部１３への製品５０の収納作業が終了したら、折曲線３１の位置で、蓋板部１５を内側へ直角に倒すとともに、折曲線３２の位置で蓋板部１５における折曲片部１５２を内側へ直角に倒し、その折曲片部１５２を内壁面部１１３ｃの内側に折り込む。これにより、蓋板部１５が開口１４を閉じた状態となる。図５及び図６は、この閉状態を示している。
【００３７】
（７）次いで、折曲線３０の位置で、差し込み先端片部１７ｃを内側へ直角に折り曲げるとともに、この差し込み先端片部１７ｃを差し込み片ロック穴１８に差し込む。
【００３８】
（８）ここで、差し込み片１７と差し込み片ロック穴１８で構成されているロック構造部１６においては、差し込み片１７は、前周壁部１１ｃの上端から幅Ｗ１で１対の切り込み部分２８ａを設けることにより、差し込み片本体部１７ａを折曲線２９の位置で、包装箱本体部１３に対し揺動可能に形成しているとともに、差し込み片１７の一部を減幅させて減幅側に傾斜する傾斜片部１７ｂと、傾斜片部１７ｂから略同じ幅Ｗ２で延出する差し込み先端片部１７ｃと、を一体に有している。一方、差し込みロック穴１８の拡幅側の最大幅Ｗ３は、幅Ｗ１よりも小さく、かつ、幅Ｗ２よりも大きく形成されている。すなわち、各幅Ｗ１、Ｗ２、Ｗ３は、Ｗ１＞Ｗ３＞Ｗ２の関係で形成されている。
【００３９】
（９）その幅Ｗ１、Ｗ２、Ｗ３の各関係により、ロック構造部１６では、差し込み片１７を差し込み片ロック穴１８に差し込むと、まず、差し込み先端片部１７ｃの両側部が、差し込みロック穴１８の拡幅側に傾斜して形成されているガイド辺部１８ａに各々当接する。そして、差し込み先端片部１７ｃの両側部とガイド辺部１８ａの間の摩擦抵抗により、差し込み片１７における差し込み先端片部１７ｃが下方（底壁部１１ａ側）に僅かに屈曲変形されて、差し込み先端片部１７ｃにおける先端側の差し込み方向が天面部１５１の裏面から離れる方向（底壁部１１ａ側）に向けられる。すなわち、図７及び図８に示すように差し込み先端片部１７ｃが差し込みロック穴１８のガイド辺部１８ａにより、蓋板部１５における天面部１５１の裏面と干渉しない、底壁部１１ａと徐々に近づく斜め下側方向へガイドする。
【００４０】
（１０）また、差し込み片１７の傾斜片部１７ｂ（又は、差し込み片本体部１７ａ）の両側部が差し込みロック穴１８まで差し込まれると、この差し込み片１７における傾斜片部１７ｂ（又は、差し込み片本体部１７ａ）の一部が差し込みロック穴１８の両側部に喰い込み、差し込み片１７と差し込みロック穴１８との間の摩擦力で差し込み片１７が抜け止めされ、蓋板部１５を閉ロックする。また、これにより、包装箱１０の組立及び製品５０の包装が完了する。図７は、この包装が完了した状態を示している。
【００４１】
なお、ロック構造部１６によるロックを解除して、蓋板部１５を開く場合は、差し込み片ロック穴１８に差し込まれている差し込み片１７を、差し込み片ロック穴１８内から引き出すと、ロック構造部１６におけるロックを解除することができる。そして、蓋板部１５の折曲片部１５２側を上方に持ち上げ、折曲線３１を支点にして回転させると、蓋板部１５を開けることができる。
【００４２】
したがって、本実施形態の包装箱１０によれば、包装箱本体部１３の開口１４を開閉可能に閉じる蓋板部１５を閉状態でロックするロック構造部１６が、包装箱本体部１３における前周壁部１１ｃの上端に折曲線２９を介して連設された舌状の差し込み片１７と、差し込み片１７を差し込み可能にして蓋板部１５（折曲片部１５２）に設けられ、差し込まれて来る差し込み片１７を蓋板部１５の裏面（天面部１５１の裏面）から離れる方向にガイドするスリット状の差し込み片ロック穴１８と、を備えている。これにより、ロック構造部１６の差し込み片１７が、差し込み片ロック穴１８に差し込まれて来ると、差し込み片ロック穴１８は差し込み片１７の差し込み方向を蓋板部１５の裏面から離れる方向にガイドするため、差し込み片１７が蓋板部１５の裏面と干渉することなく差し込むことができる。
【００４３】
また、ロック構造部１６の差し込み片ロック穴１８は、差し込み片ロック穴１８の一部を拡幅させて拡幅側に傾斜するガイド辺部１８ａを設け、蓋板部１５が閉じられた状態で、開口が末広がりに広がる台形に形成されているので、ブランクとして打ち抜く時に同時に打ち抜いて、簡単に形成することができる。
【００４４】
また、蓋板部１５（天面部１５１）の裏面に、広告又は使用説明等の活字や絵柄が印刷されたシート、すなわちＰＯＰラベル２７が貼り付けられていても、差し込み片１７をＰＯＰラベル２７と干渉することなく差し込むことができるので、ＰＯＰラベル２７が貼り付けられていても、包装箱１０を自動機で組み立てることも可能になる。これにより、生産数量の大きいロットにも対応ができ、コスト低減に寄与する。さらに、蓋板部１５の裏面にＰＯＰラベル２７を貼り付ける場合も、貼り付けに規制を受けることがなくなるので、蓋板部１５の裏面全体にＰＯＰラベル２７を貼り付けることが可能になり、ＰＯＰ効果を最大限に利用することができる。
【００４５】
また、ロック構造部１６において、差し込み片１７は、前周壁部１１ｃの上端から幅Ｗ１で１対の切り込み部分２８ａを形成することにより包装箱本体部１３に対して揺動可能に設けられているとともに、差し込み片１７の一部を減幅させて減幅側に傾斜する傾斜片部１７ｂと傾斜片部１７ｂから略同じ幅Ｗ２で延出する差し込み先端片部１７ｃとを一体に有している。一方、差し込みロック穴１８の拡幅側の最大幅Ｗ３は、前記幅Ｗ１よりも小さく、かつ、前記幅Ｗ２よりも大きく形成されている。したがって、ロック構造部１６は、包装箱１０をブランクとして打ち抜く時に同時に打ち抜いて、簡単に形成することができる。
【００４６】
なお、本実施形態では、ロック構造部１６を前周壁部１１ｃに設けた構造を開示したが、側周壁部１１ｄ、１１ｅに設けてもよいものである。
【００４７】
差し込み片ロック穴１８は、左右の一部の幅を各々拡幅させて左右両側に傾斜するガイド辺部１８ａを設けた構造を開示したが傾斜するガイド辺部１８ａは片側にだけ設けた構造としてもよいものである。
【００４８】
また、本実施形態では、包装箱１０を、周知のボール紙又は段ボール紙を、周知の紙器打抜装置によりブランクとして打ち抜いて形成する場合について説明したが、これに限定されるものでなく、プラスチックシート等で形成してもよいものである。
【００４９】
また、本考案は、上記実施形態に限定されるものではなく、本考案の目的を達成できる範囲での変形、改良等は本考案に含まれものである。
【符号の説明】
【００５０】
１０      包装箱
１１ａ    底壁部
１１ｂ    後周壁部
１１ｃ    前周壁部
１１ｄ、１１ｅ    側周壁部
１１１ｃ、１１１ｄ、１１１ｅ    外壁面部
１１２ｃ、１１２ｄ、１１２ｅ    上壁面部
１１３ｃ、１１３ｄ、１１３ｅ    内壁面部
１１４ｃ、１１４ｄ、１１４ｅ      係合突起部
１２      空間
１３      包装箱本体部
１４      開口
１５      蓋板部
１５１    天面部
１５２    折曲片部
１６      ロック構造部
１７      差し込み片
１７ａ    差し込み片本体部
１７ｂ    傾斜片部
１７ｃ    差し込み先端片部
１８      差し込み片ロック穴
１８ａ    ガイド辺部
１９      折曲線
２０      折曲線
２１      折曲線
２２      第１補強フラップ
２３      第２補強フラップ
２４      折曲線
２５      第３補強フラップ
２６      折曲線
２７      ＰＯＰラベル
２８      切り込み
２８ａ    切り込み部分
２９      折曲線
３０      折曲線
３１      折曲線
３２      折曲線
５０      製品
Ｗ１      切り込み部分の幅（差し込み片本体部の幅）
Ｗ２      差し込み先端片部の幅
Ｗ３      差し込みロック穴の拡幅側の最大幅
【図１】
0003208778.tif 000003
【図２】
0003208778.tif 000004
【図３】
0003208778.tif 000005
【図４】
0003208778.tif 000006
【図５】
0003208778.tif 000007
【図６】
0003208778.tif 000008
【図７】
0003208778.tif 000009
【図８】
0003208778.tif 000010